(57)【要約】【課題】高い料金の移動アクセス、または低い料金の移動アクセスもしくは固定アクセスを介して行われる移動通信システムにおけるサービスデリバリ。【解決手段】発呼側の２つの電話番号を、単一のサブスクリプションを有するユーザに関連付けるステップと、固定サービス番号を目標とする着信がルーティングされることが可能な、特定の移動状態を定義するステップと、「固定サービス」電話番号を目標とする着信を扱う際、着呼側の現在の移動状態を判定するステップと、それが特定の移動状態の１つに相当する場合、着呼側にルーティングするステップと、特定の移動状態のいずれにも相当しない場合、拒否するステップ、またはルーティングすることを必要としないサービスを代わりに提供するステップとを含む。【選択図】図１
2007184915.tif 000002
【特許請求の範囲】
【請求項１】
移動サービスのデリバリが、高い料金の移動アクセス、または低い料金の移動アクセスもしくは固定アクセスを介して行われることが可能な移動通信システムにおけるサービスデリバリのための方法であって、
発呼側に、固定ネットワーク料金が請求される固定サービス電話番号と、発呼側に、移動ネットワーク料金が請求される移動サービス電話番号とを含む少なくとも２つの電話番号を、高い料金の移動アクセスと低い料金の移動アクセスもしくは固定アクセスに関して単一のサブスクリプションを有するユーザに関連付けるステップを含む、方法。
【請求項２】
固定サービス電話番号を目標とする着信コールもしくは着信セッションを扱う際、サブスクリプションポリシーに基づき、移動ルーティング手続きに従って着呼側に前記コールもしくは前記セッションをルーティングするステップを含む、請求項１に記載の方法。
【請求項３】
固定サービス番号を目標とする着信コールもしくは着信セッションが、移動ルーティング手続きに従ってルーティングされることが可能な、特定の移動状態を定義するステップと、
固定サービス電話番号を目標とする着信コールもしくは着信セッションを扱う際、着呼側の現在の移動状態を判定するステップと、
前記現在の移動状態が、前記特定の移動状態の１つに相当する場合、移動ルーティング手続きに従って着呼側に前記コールもしくは前記セッションをルーティングするステップと、
前記現在の移動状態が、前記特定の移動状態のいずれにも相当しない場合、前記コールもしくは前記セッションを拒否するステップ、または移動ルーティング手続きに従って前記コールもしくは前記セッションをルーティングすることを必要としないサービスを代わりに提供するステップとを含む、請求項１または２のいずれかに記載の方法。
【請求項４】
高い料金の移動アクセスと低い料金の移動アクセスもしくは固定アクセスに関して単一のサブスクリプションを有するユーザによって発せられた発信コールもしくは発信セッションを扱う際、サブスクリプションポリシーに基づき、固定ネットワーク料金に従って着呼側に前記コールもしくは前記セッションをルーティングするステップを含む、請求項１から３のいずれかに記載の方法。
【請求項５】
発信コールもしくは発信セッションが、固定ルーティング料金に従ってルーティングされることが可能な、特定の移動状態を定義するステップと、
発信コールもしくは発信セッションを扱う際、発呼側の現在の移動状態を判定するステップと、
前記現在の移動状態が、前記特定の移動状態の１つに相当する場合、固定ネットワーク料金に従って着呼側に前記コールもしくは前記セッションをルーティングするステップと、
前記現在の移動状態が、前記特定の移動状態のいずれにも相当しない場合、移動ネットワーク料金に従って着呼側に前記コールもしくは前記セッションをルーティングするステップとを含む、請求項４に記載の方法。
【請求項６】
前記特定の移動状態は、
ユーザが、ホーム低料金エリアとして定義されたエリアを介して連絡可能である、またはホーム低料金エリアで登録されているとネットワークによって知られている状態、
ユーザが、所定の時間に満たない時間にわたってホーム低料金エリアから登録解除されている状態、および
ユーザが、高い料金の移動アクセスネットワークを介してだけ連絡可能であるが、ユーザが、低い料金の移動アクセスネットワークにおいて前に登録されていたホーム低料金エリアと同等であると見なされるエリア内にいることがネットワークによって知られている状態の少なくとも１つを含む、請求項３から５のいずれかに記載の方法。
【請求項７】
現在のユーザの移動状態を判定する前記ステップが、ユーザロケーション関連データを格納する加入者データベースに問い合わせることを含む、請求項３から６のいずれかに記載の方法。
【請求項８】
現在のユーザの移動状態を判定する前記ステップが、ロケーションサービスを使用して、ユーザロケーションを判定することを含む、請求項３から６のいずれかに記載の方法。
【請求項９】
ロケーションサービスは、ユーザが、所定の時間を超える時間にわたってホーム低料金エリアでもはや連絡可能ではないことが知られている場合、およびユーザが、低料金移動アクセスネットワークにおいて前に登録されていたホーム低料金エリアの外部と見なされるエリアにおける高い料金の移動アクセスネットワークを介して、連絡可能であるとは検出されていない場合にだけ使用される、請求項８に記載の方法。
【請求項１０】
移動ルーティング手続きに従ってルーティングする前記ステップが、前記移動サービス電話番号に前記コールを転送するステップを含む、請求項２または３または請求項６から９のいずれかに記載の方法。
【請求項１１】
固定アクセスのための固定電話番号を既に有しているユーザに関して、
前記固定サービス電話番号を前記固定電話番号に、番号ポータビリティによって関連付けるステップと、
前記固定番号を目標とする着信コールもしくは着信セッションを受信すると、前記固定電話番号を前記固定サービス電話番号上に移されたものと見なすステップとを含む、請求項１から１０のいずれかに記載の方法。
【請求項１２】
移動サービスのデリバリが、高い料金の移動アクセス、または低い料金の移動アクセスもしくは固定アクセスを介して行われることが可能であり、発呼側に、固定ネットワーク料金が請求される固定サービス電話番号と、発呼側に、移動ネットワーク料金が請求される移動サービス電話番号とを含む少なくとも２つの電話番号が、高い料金の移動アクセスと低い料金の移動アクセスに関して単一のサブスクリプションを有するユーザに関連付けられる、移動通信システムのコアネットワークエンティティであって、
固定サービス電話番号を目標とする着信コールもしくは着信セッションを扱う際、サブスクリプションポリシーに基づき、移動ルーティング手続きに従って着呼側に前記コールもしくは前記セッションをルーティングするための手段を含む、エンティティ。
【請求項１３】
固定サービス番号を目標とする着信コールもしくは着信セッションが、移動ルーティング手続きに従ってルーティングされることが可能な、特定の移動状態が定義される請求項１２に記載のコアネットワークエンティティであって、
固定サービス電話番号を目標とする着信コールもしくは着信セッションを扱う際、着呼側の現在の移動状態を判定するための手段と、
前記現在の移動状態が、前記特定の移動状態の１つに相当する場合、移動ルーティング手続きに従って着呼側に前記コールもしくは前記セッションをルーティングするための手段と、
前記現在の移動状態が、前記特定の移動状態のいずれにも相当しない場合、前記コールもしくは前記セッションを拒否するための、または移動ルーティング手続きに従って前記コールもしくは前記セッションをルーティングすることを必要としないサービスを代わりに提供するための手段とを含む、エンティティ。
【請求項１４】
高い料金の移動アクセスと低い料金の移動アクセスもしくは固定アクセスに関して単一のサブスクリプションを有するユーザによって発せられた発信コールもしくは発信セッションを扱う際、サブスクリプションポリシーに基づき、固定ネットワーク料金に従って着呼側に前記コールもしくは前記セッションをルーティングするための手段を含む、請求項１２または１３のいずれかに記載のコアネットワークエンティティ。
【請求項１５】
発信コールもしくは発信セッションが、固定ネットワーク料金に従ってルーティングされることが可能な、特定の移動状態が定義される請求項１４に記載のコアネットワークエンティティであって、
発信コールもしくは発信セッションを扱う際、発呼側の現在の移動状態を判定するための手段と、
前記現在の移動状態が、前記特定の移動状態の１つに相当する場合、固定ネットワーク料金に従って着呼側に前記コールもしくは前記セッションをルーティングするための手段と、
前記現在の移動状態が、前記特定の移動状態のいずれにも相当しない場合、移動ネットワーク料金に従って着呼側に前記コールもしくは前記セッションをルーティングするための手段とを含む、エンティティ。
【請求項１６】
前記特定の移動状態は、
ユーザが、ホーム低料金エリアとして定義されたエリアを介して連絡可能である、またはホーム低料金エリアで登録されているとネットワークによって知られている状態、
ユーザが、所定の時間に満たない時間にわたってホーム低料金エリアから登録解除されている状態、および
ユーザが、高い料金のセルラー移動アクセスネットワークを介してだけ連絡可能であるが、ユーザが、低い料金の移動アクセスネットワークにおいて前に登録されていたホーム低料金エリアと同等であると見なされるエリア内にいることがネットワークによって知られている状態の少なくとも１つを含む、請求項１３から１５のいずれかに記載のコアネットワークエンティティ。
【請求項１７】
現在のユーザの移動状態を判定するための前記手段が、ユーザロケーション関連データを格納する加入者データベースに問い合わせるための手段を含む、請求項１３から１６のいずれかに記載のコアネットワークエンティティ。
【請求項１８】
現在のユーザの移動状態を判定するための前記手段が、ロケーションサービスを使用して、ユーザロケーションを判定するための手段を含む、請求項１３から１６のいずれかに記載のコアネットワークエンティティ。
【請求項１９】
ロケーションサービスを使用して、ユーザロケーションを特定するための手段は、ユーザが、所定の時間を超える時間にわたってホーム低料金エリアでもはや連絡可能ではないことが知られている場合、およびユーザが、低料金移動アクセスネットワークにおいて前に登録されていたホーム低料金エリアの外部と見なされるエリアにおける高い料金の移動アクセスネットワークを介して、連絡可能であるとは検出されていない場合にだけロケーションサービスを使用するための手段を含む、請求項１８に記載のコアネットワークエンティティ。
【請求項２０】
移動ルーティング手続きに従って前記コールもしくは前記セッションをルーティングするための前記手段が、前記移動サービス電話番号に前記コールを転送するための手段を含む、請求項１２または１３または請求項１６から１９のいずれかに記載のコアネットワークエンティティ。
【請求項２１】
固定アクセスのための固定電話番号を既に有しているユーザに関して、
前記固定サービス電話番号を前記固定電話番号に、番号ポータビリティによって関連付けるための手段と、
前記固定番号を目標とする着信コールもしくは着信セッションを受信すると、前記固定電話番号を前記固定サービス電話番号上に移すための手段とを含む、請求項１２または１３または請求項１６から２０のいずれかに記載のコアネットワークエンティティ。
【発明の詳細な説明】
【技術分野】
【０００１】
本発明は、概ね、移動通信システムに関する。
【背景技術】
【０００２】
一般に、移動通信システムは、標準化の対象となり、したがって、そのようなシステムの詳細は、対応する標準化機関によって公表される、対応する標準において見ることができる。
【０００３】
本発明は、より詳細には、そのようなシステムの、固定−移動収斂に向けての進化に関する。
【０００４】
そのような進化の例に相当するのが、より高い料金の、認可された移動アクセスを介して（例えば、３ＧＰＰ（第３世代パートナーシッププログラム）の無線アクセスネットワーク、または３ＧＰＰ２（第３世代パートナーシッププログラム２）の無線アクセスネットワークなどを介して）移動サービスのデリバリが行われる移動ネットワークにおける、より低い料金の移動アクセスを介しても前記移動サービスのデリバリを可能にする技術の導入である。
【０００５】
このより低い料金の移動アクセスは、移動端末装置が、ＷｉＦｉ、Ｂｌｕｅｔｏｏｔｈ、ＷｉＭａｘなどの無認可無線アクセスを可能にする無線プロトコルで送られるＩＰフローを介して、ネットワークとトラフィックを交換することに依拠する。それらの技術の例が、３ｇｐｐによって定義されるＵＭＡ／ＧＡＮ（無認可移動アクセス／汎用アクセスネットワーク）である。
【０００６】
以降、高い料金、認可、またはセルラーなどの用語は、移動ネットワーク（例えば、３ＧＰＰまたは３ＧＰＰ２の無線アクセスネットワークなどの）を使用する、そのような移動アクセスを指すものとして区別なく使用され、低料金、無認可などの用語は、固定ネットワーク（例えば、ＵＭＡ／ＧＡＮなどの）を使用する、そのような移動アクセスを指すものとして区別なく使用される。
【０００７】
以下に、ＵＭＡ／ＧＡＮが、低料金移動アクセスまたは固定アクセスを介して移動サービスのデリバリを可能にする、そのような技術の例として、より詳細に考慮される。
【０００８】
簡単に述べると、ＵＭＡ／ＧＡＮは、デュアルモード（ＧＳＭ／ＵＭＴＳ、Ｗｉｆｉ／Ｂｌｕｅｔｏｏｔｈ／Ｗｉｍａｘ／．．．）移動局が、Ｗｉｆｉ／Ｂｌｕｅｔｏｏｔｈ／Ｗｉｍａｘ／．．．サービスエリアの下にある場合に、移動ネットワークのサービスの恩恵を受けることを可能にするアクセス技術である。このことは、ＵＭＡ／ＧＡＮ技術によって、移動局が、Ｗｉｆｉ／Ｂｌｕｅｔｏｏｔｈ／Ｗｉｍａｘ／．．．を介して移動ネットワークのコアネットワークエンティティにアクセスし、それらのエンティティによってデリバリが行われるサービスの恩恵を受けることを意味する。そのようなサービスは、より安い費用で、このようにデリバリが行われ（高価な２Ｇ／３Ｇ無線が全く使用されない）、事業者が、十分な認可された移動アクセスサービスエリアを展開するのに費用が高くつく場所（例えば、屋内の深部）にも入る。
【０００９】
ＵＭＡ／ＧＡＮに関するさらなる詳細は、対応する標準化機関によって公表される、対応する標準において見ることができる。
【００１０】
認可された移動アクセス、および無認可の移動アクセスを含む移動通信システムのアーキテクチャの例が、図１で想起されている。システムは、以下を含む。すなわち、
−移動局と、
−基地局トランシーバ（ＢＴＳ）／ノードＢおよび基地局コントローラ（ＢＳＣ）／無線ネットワークコントローラ（ＲＮＣ）を含む、無線アクセスネットワーク（ＲＡＮ）、または基地局サブシステム（ＢＳＳ）／無線ネットワークサブシステム（ＲＮＳ）と、
−ブロードバンドＩＰネットワークを介して互いに接続された、１つまたは複数のアクセスポイント（ＡＰ）と、ＣＮにＢＳＳとして見える１つまたは複数のＵＭＡネットワークコントローラ（ＵＮＣ）／汎用アクセスコントローラ（ＧＡＮＣ）とを含むＵＭＡ／ＧＡＮネットワークと、
−回線交換ドメインのための移動交換局（ＭＳＣ）、および／またはパケット交換ドメインのためのＧＰＲＳサポートノード（ＧＳＮ）、および／またはＩＰマルチメディアサブシステム（ＩＭＳ）のためのコールセッション制御ファンクション（ＣＳＣＦ）などのエンティティを含み、前記エンティティは、基本移動サービスのデリバリを可能にし、付加価値移動サービスのデリバリのために、ＣＳ−ＰＳドメインのためのサービス制御ポイント（ＳＣＰ）および／またはＩＭＳサブシステムのためのアプリケーションサーバ（ＡＳ）などの他のエンティティと対話するとともに、サービスを提供するために必要とされるユーザ関連データを格納する、ホームロケーションレジスタ（ＨＬＲ）および／またはホーム加入者サーバ（ＨＳＳ）のような加入者データベースなどの、他のエンティティとも対話する、コアネットワーク（ＣＮ）と、である。
【００１１】
そのようなシステムの非常に興味深い特徴は、エンドユーザが、認可されたアクセスと無認可アクセスの両方に関して、単一のデュアルモード電話−ジョイントサービス（すなわち、単一のサブスクリプション）を有することを、規制がそのようなジョイントサービスを許す国において、可能にすることである。
【００１２】
エンドユーザに関して、そのような「デュアルモード電話／サブスクリプション」を所有することは、特に、以下の利点を有する。すなわち、
・固定電話サービスと移動電話サービスをともに単一の電話機上で提供される可能性を有し、固定サービスは、無認可（ＵＭＡ／ＧＡＮ）無線などの、より低い料金の移動アクセスの上でデリバリが行われること、
・コールが、無認可（ＵＭＡ／ＧＡＮ）などの、より低い料金の移動アクセスであるか、認可された（ＧＳＭ／ＵＭＴＳ）移動アクセスなどの、より高い料金の移動アクセスであるかにかかわらず、電話機上で送受信されたコールのログである、単一のアドレス帳を有すること、
・単一のボイスメールを有すること、
・１つの複合「デュアルモード」電話機を有する方が、２つの電話機（無認可移動アクセス向けに１つ、認可された移動アクセス向けに１つ）を有するより安価であること、
・ＵＭＡ／ＧＡＮを介して、ＳＭＳ、ＭＭＳ、．．．を含むすべての移動サービスが、無認可アクセスなどの、より低い料金の移動アクセス上で自然に提供されること、
・ＵＭＡ／ＧＡＮが、無認可の（ＷｉｆｉまたはＢｌｕｅｔｏｏｔｈなどの）サービスエリアと認可された（ＧＳＭまたはＵＭＴＳなどの）サービスエリアとの間でハンドオーバ（シームレスなサービスの連続性）を提供すること。
【００１３】
単一の電話番号が、もちろん、そのような「デュアルモード電話機／サブスクリプション」に関連付けられることも可能である。しかし、本発明によって認識されるとおり、着呼側が、固定電話番号を介して連絡可能か、または移動電話番号を介して連絡可能かに依存して、発呼側が異なる料金を支払う国々（特に欧州などにおける）に関して、単一の電話番号は、発呼側の料金請求に関して問題を生じさせる。というのは、「デュアルモード電話機」は、両方のアクセスの間で行き来する可能性があるので、発呼側ネットワークは、着呼側に、固定（より低い料金の）アクセスネットワークを介して連絡がとられるか、移動（より高い料金の）アクセスネットワークを介して連絡がとられるかを、前もって知らないからである。
【００１４】
本発明によってさらに認識されるとおり、以上の問題の問題解決法は、いずれのアクセスネットワークを介して移動体に連絡可能であるかとは無関係に、「デュアルモード電話機／サブスクリプション」を単一の移動ＭＳＩＳＤＮ（移動加入者ＩＳＤＮ番号）電話番号に関連付けることであることが可能である。これにより、「デュアルモード電話機／サブスクリプション」を使用してユーザを呼び出す当事者は、着呼側に、固定（無認可の）アクセスネットワークを介して連絡可能であるか、または移動（認可された）アクセスネットワークを介して連絡可能であるかにかかわらず、移動アクセスネットワークに支払われるべき特定の料金を常に支払う。しかし、欠点は、そのような「デュアルモード電話機／サブスクリプション」の所有者が、その所有者の通信相手が、その所有者に連絡をとるのに高い料金を常に支払うことを課すことであり、これは、社会的に容認できない可能性がある。たいてい、発呼側は、ホームにいる着呼側に低料金で連絡をとるように「固定」電話番号を最初に試ることを選好する可能性があり、「移動」電話番号は、それ以外で、着呼側に、いたるところで（ホーム外で、またはホームで）連絡をとるのに使用されるが、より高い料金で使用される。
【００１５】
本発明によってさらに認識されるとおり、この問題の別の解決法は、いずれのアクセスネットワークを介して移動体に連絡可能であるかとは無関係に、「デュアルモード電話機／サブスクリプション」を単一の固定電話番号に関連付けることであることが可能である。その番号は、固定範囲に属するので、発呼側は、着呼側に、移動（認可の）アクセスネットワークを介して連絡がとられる場合でも、移動アクセスに支払われるべき特定の料金を決して支払うことがない。「デュアルモード電話機」の所有者に、移動アクセスネットワークを介して連絡可能である場合の余計な費用は、「デュアルモード電話機」の所有者自身によって支払われなければならない。これは、欧州などの、世界のいくつかの地域で使用される料金請求モデルと比較して、料金請求モデルの変更であり、着呼側が、着呼側の移動性の対価を支払い、これは、社会的に容認できない可能性がある。
【発明の開示】
【発明が解決しようとする課題】
【００１６】
本発明は、詳細には、前述した諸問題の一部、またはすべてを解決すること、または前述した欠点の一部、またはすべてを回避することを可能にする。より一般的には、本発明は、そのようなシステムにおけるサービスデリバリを向上させることを可能にする。
【課題を解決するための手段】
【００１７】
以上、およびその他の目的が、本発明の一態様では、着信する移動サービスのデリバリが、高い料金の移動アクセス、または低い料金の移動アクセスもしくは固定アクセスを介して行われることが可能な移動通信システムにおけるサービスデリバリのための方法によって達せられ、前記方法は、
−発呼側に、固定ネットワーク料金が請求される固定サービス電話番号と、発呼側に、移動ネットワーク料金が請求される移動サービス電話番号とを含む少なくとも２つの電話番号を、高い料金の移動アクセスと低い料金の移動アクセスもしくは固定アクセスに関して単一のサブスクリプションおよび共通の電話機を有するユーザに関連付けるステップを含む。
【００１８】
有利には、前記方法は、
−固定サービス電話番号を目標とする着信コールもしくは着信セッションを扱う際、サブスクリプションポリシーに基づき、移動ルーティング手続きに従って着呼側に前記コールもしくは前記セッションをルーティングするステップを含む。
【００１９】
有利には、前記サブスクリプションポリシーの例によれば、前記方法は、
−固定サービス番号を目標とする着信コールもしくは着信セッションが、移動ルーティング手続きに従ってルーティングされることが可能な、特定の移動状態を定義するステップと、
−固定サービス電話番号を目標とする着信コールもしくは着信セッションを扱う際、着呼側の現在の移動状態を判定するステップと、
−前記現在の移動状態が、前記特定の移動状態の１つに相当する場合、移動ルーティング手続きに従って着呼側に前記コールもしくは前記セッションをルーティングするステップと、
−前記現在の移動状態が、前記特定の移動状態のいずれにも相当しない場合、前記コールもしくは前記セッションを拒否するステップ、または移動ルーティング手続きに従って前記コールもしくは前記セッションをルーティングすることを必要としないサービスを代わりに提供するステップとを含む。
【００２０】
有利には、移動ルーティング手続きに従ってルーティングする前記ステップは、
−前記移動サービス番号に前記コールを転送するステップを含む。
【００２１】
有利には、前記方法は、固定アクセスのための固定電話番号を既に有しているユーザに関して、
−前記固定サービス電話番号を前記固定電話番号に、番号ポータビリティによって関連付けるステップと、
−前記固定番号を目標とする着信コールもしくは着信セッションを受信すると、前記固定電話番号を前記固定サービス電話番号上に移すステップとをさらに含む。
【００２２】
有利には、前記方法は、
−高い料金の移動アクセスと低い料金の移動アクセスもしくは固定アクセスに関して単一のサブスクリプションを有するユーザによって発せられた発信コールもしくは発信セッションを扱う際に、サブスクリプションポリシーに基づき、固定ネットワーク料金に従って着呼側に前記コールもしくは前記セッションをルーティングするステップを含む。
【００２３】
有利には、前記サブスクリプションポリシーの例によれば、前記方法は、
−発信コールもしくは発信セッションが、固定ネットワーク料金に従ってルーティングされることが可能な、特定の移動状態を定義するステップと、
−発信コールもしくは発信セッションを扱う際、発呼側の現在の移動状態を判定するステップと、
−前記現在の移動状態が、前記特定の移動状態の１つに相当する場合、固定ネットワーク料金に従って着呼側に前記コールもしくは前記セッションをルーティングするステップと、
−前記現在の移動状態が、前記特定の移動状態のいずれにも相当しない場合、移動ネットワーク料金に従って着呼側に前記コールもしくは前記セッションをルーティングするステップとを含む。
【００２４】
有利には、前記特定の移動状態は、以下の状態の少なくとも１つを含む。すなわち、
−ユーザが、ホーム低料金エリアとして定義されたエリアを介して連絡可能である、またはそのようなエリアで登録されているとネットワークによって知られている状態、
−ユーザが、所定の時間に満たない時間にわたってホーム低料金エリアから登録解除されている状態、
−ユーザが、高い料金の移動アクセスネットワークを介してだけ連絡可能であるが、ユーザが、低い料金の移動アクセスネットワークにおいて前に登録されていたホーム低料金エリアと同等であると見なされるエリア内にいることがネットワークによって知られている状態である。
【００２５】
一実施例では、現在のユーザの移動状態を判定する前記ステップは、ユーザロケーション関連データを格納する加入者データベースに問い合わせることを含む。
【００２６】
別の実施例では、現在のユーザの移動状態を判定する前記ステップは、ロケーションサービスを使用して、ユーザロケーションを判定することを含む。
【００２７】
有利には、ロケーションサービスは、
−ユーザが、所定の時間を超える時間にわたってホーム低料金エリアでもはや連絡可能ではないことが知られている場合、および
−ユーザが、低料金移動アクセスネットワークにおいて前に登録されていたホーム低料金エリアの外部と見なされるエリアにおける高い料金の移動アクセスネットワークを介して、連絡可能であるとは検出されていない場合にだけ使用される。
【００２８】
以上、およびその他の目的は、本発明の別の態様では、移動サービスのデリバリが、高い料金の移動アクセス、または低い料金の移動アクセスもしくは固定アクセスを介して行われることが可能であり、発呼側に、固定ネットワーク料金が請求される固定サービス電話番号と、発呼側に、移動ネットワーク料金が請求される移動サービス電話番号とを含む少なくとも２つの電話番号が、高い料金の移動アクセスと低い料金の移動アクセスに関して単一のサブスクリプションおよび共通の電話機を有するユーザに関連付けられる、移動通信システムのコアネットワークエンティティによって達せられ、前記コアネットワークエンティティは、
固定サービス電話番号を目標とする着信コールもしくは着信セッションを扱う際、サブスクリプションポリシーに基づき、移動ルーティング手続きに従って着呼側に前記コールもしくは前記セッションをルーティングするための手段を含む。
【００２９】
有利には、前記サブスクリプションポリシーの例によれば、固定サービス番号を目標とする着信コールもしくは着信セッションが、移動ルーティング手続きに従ってルーティングされることが可能な、特定の移動状態が定義され、前記コアネットワークエンティティは、
−固定サービス電話番号を目標とする着信コールもしくは着信セッションを扱う際、着呼側の現在の移動状態を判定するための手段と、
−前記現在の移動状態が、前記特定の移動状態の１つに相当する場合、移動ルーティング手続きに従って着呼側に前記コールもしくは前記セッションをルーティングするための手段と、
−前記現在の移動状態が、前記特定の移動状態のいずれにも相当しない場合、前記コールもしくは前記セッションを拒否するための、または移動ルーティング手続きに従って前記コールもしくは前記セッションをルーティングすることを必要としないサービスを代わりに提供するための手段とを含む。
【００３０】
有利には、移動ルーティング手続きに従ってルーティングするための前記手段は、
−前記移動サービス番号に前記コールを転送するための手段を含む。
【００３１】
有利には、前記コアネットワークエンティティは、固定アクセスのための固定電話番号を既に有しているユーザに関して、
−前記固定サービス電話番号を前記固定電話番号に、番号ポータビリティによって関連付けるための手段と、
−前記固定番号を目標とする着信コールもしくは着信セッションを受信すると、前記固定電話番号を前記固定サービス電話番号上に移すための手段を含む。
【００３２】
有利には、前記エンティティは、
−高い料金の移動アクセスと低い料金の移動アクセスもしくは固定アクセスに関して単一のサブスクリプションを有するユーザによって発せられた発信コールもしくは発信セッションを扱う際に、サブスクリプションポリシーに基づき、固定ネットワーク料金に従って着呼側に前記コールもしくは前記セッションをルーティングするための手段を含む。
【００３３】
有利には、前記サブスクリプションポリシーの例によれば、発信コールもしくは発信セッションが、固定ネットワーク料金に従ってルーティングされることが可能な、特定の移動状態が定義され、前記エンティティは、
−発信コールもしくは発信セッションを扱う際、発呼側の現在の移動状態を判定するための手段と、
−前記現在の移動状態が、前記特定の移動状態の１つに相当する場合、固定ネットワーク料金に従って着呼側に前記コールもしくは前記セッションをルーティングするための手段と、
−前記現在の移動状態が、前記特定の移動状態のいずれにも相当しない場合、移動ネットワーク料金に従って着呼側に前記コールもしくは前記セッションをルーティングするための手段とを含む。
【００３４】
有利には、前記所定の移動状態は、以下の状態の少なくとも１つを含む。すなわち、
−ユーザが、ホーム低料金エリアとして定義されたエリアを介して連絡可能である、またはそのようなエリアで登録されているとネットワークによって知られている状態、
−ユーザが、所定の時間に満たない時間にわたってホーム低料金エリアから登録解除されている状態、
−ユーザが、高い料金のセルラー移動アクセスネットワークを介してだけ連絡可能であるが、ユーザが、低い料金の移動アクセスネットワークにおいて前に登録されていたホーム低料金エリアと同等であると見なされるエリア内にいることがネットワークによって知られている状態である。
【００３５】
一実施例では、現在のユーザの移動状態を判定するための前記手段は、ユーザロケーション関連データを格納する加入者データベースに問い合わせるための手段を含む。
【００３６】
別の実施例では、現在のユーザの移動状態を判定するための前記手段は、ロケーションサービスを使用して、ユーザロケーションを判定するための手段を含む。
【００３７】
有利には、ロケーションサービスを使用して、ユーザロケーションを特定するための前記手段は、
−ユーザが、所定の時間を超える時間にわたってホーム低料金エリアでもはや連絡可能ではないことが知られている場合、および
−ユーザが、低料金移動アクセスネットワークにおいて前に登録されていたホーム低料金エリアの外部と見なされるエリアにおける高い料金の移動アクセスネットワークを介して、連絡可能であるとは検出されていない場合にだけロケーションサービスを使用するための手段を含む。
【発明を実施するための最良の形態】
【００３８】
本発明の以上、およびその他の目的は、添付の図面と併せて解釈される以下の説明からより明白となろう。
【００３９】
また、本発明は、例えば、例示の目的で、ＵＭＡ／ＧＡＮ技術を使用する低い料金の移動アクセスのケースを考慮して、以下のとおり説明されることも可能である。
【００４０】
本発明の様々な態様の１つでは、本発明は、単一の「デュアルモード電話機／サブスクリプション」を単一の電話番号にではなく、以下の２種類の電話番号に関連付けることを提案する。すなわち、
−固定ネットワークの文脈において、すなわち、ユーザが、「ホーム」（例えば、ホームにおけるＵＭＡ／ＧＡＮサービスエリア）にいる場合にだけ、使用されるべき１つの「固定サービス」電話番号（または番号群）。発呼側は、この種類の番号（「デュアルモード電話機の固定サービス」）を呼び出す場合、固定ネットワーク料金を支払う。この種類の番号を目標とするコールは、移動ネットワークに向けて何らかの形でルーティングされる。移動ネットワークが、この種類の番号でコールを受信し、着呼側が、「ホーム」にいない場合、そのコールは、拒否される（または、例えば、着呼側のボイスメールに転送される）、
−移動の文脈で、すなわち、ユーザが、「ホーム」にいない場合に、使用されるべき１つの「移動サービス」電話番号（または番号群）。発呼側は、この種類の番号を呼び出す場合、移動ネットワーク料金を支払う。この種類のコールは、通常の移動手続きに従ってルーティングされる。
【００４１】
「デュアルモード電話機の固定サービス」へのコールは、ユーザの「デュアルモード電話機」が、「ホーム」にある場合にだけ、すなわち、「ホーム無認可ロケーション」の下でだけ、ユーザにデリバリが行われる。
【００４２】
ユーザが、「ホーム」にいる場合を定義するのに、「デュアルモード電話機／サブスクリプション」は、例えば、以下に関連付けられることが可能である。すなわち、
−「ホーム低料金エリア」群、例えば、「ホーム」Ｗｉｆｉアクセスポイント（ＡＰ）群もしくはＷｉｍａｘ  ＡＰ群、すなわち、ユーザが、これらのＡＰの１つを介して接続されている場合、ユーザは、「ホーム」にいると見なされる。複数のそのようなＡＰ（例えば、主とする家に関して１つのＡＰ、副次的な（休日の）家に関して別のＡＰ）が存在することが可能であり、これは、事業者とユーザの間における商業上の合意の対象である。
−ユーザが、「ホーム」にいると見なされる「ホーム」移動電話（例えば、ＧＳＭ）セル群（ユーザが、例えば、ユーザの庭にいるが、ユーザのＷｉｆｉ  ＡＰの届かないところにいる場合、ユーザが、何らかの形で「ホーム」にいると見なされることを確実にしたいと事業者が所望する場合、これは、事業者とユーザの間における商業上の合意の対象である）。
【００４３】
ユーザが「ホーム」にいる場合のそのような定義は、例えば、ユーザが、「ホーム」から発信コールを発した場合に特定の料金設定を提供するためなどの、着信コールのルーティング以外の用途に使用されることも可能であることに留意されたい。
【００４４】
「デュアルモード電話機／サブスクリプション」の「固定サービス」電話番号を目標とする着信コールが着信すると、そのコールが、目標端末装置に転送されるべきか（ユーザが、「ホーム」にいる）否か（ユーザが、「ホーム」にいない）を判定する必要性がある。
【００４５】
そのような判定の解決法は、各着信コールを扱う際に、ロケーション要求を発すること、すなわち、ロケーションサービスを使用することであることが可能である。
【００４６】
しかし、様々な態様の別の態様では、本発明は、ロケーション要求を発して、ユーザの実際のロケーションを特定することを回避する（可能な場合）別の解決法を提案する。というのは、各着信コールを扱う際のそのようなロケーション要求は、あまりにも多くの処理リソースを消費するからである。
【００４７】
その解決法によれば、「デュアルモード電話機／サブスクリプション」の「固定サービス」電話番号を目標とする着信コールを扱うことには、ユーザが、「ホーム無認可エリア」（すなわち、ユーザに関してホームであると宣言されているロケーション）内にいるか、または外部にいるかを追跡する「プレゼンス」データベースをルックアップすることがかかわる。このルックアップに基づき、「デュアルモード電話機／サブスクリプション」の「固定サービス」電話番号を目標とする着信コールは、そのユーザの「移動サービス」電話番号に転送されるか（すなわち、ユーザに送られる）、または何らかの形でコールのデリバリが行われるか、コールが拒否されるか（ユーザが、「ホームにいない」ので）を判定するロケーション要求を要する。
【００４８】
この「プレゼンス」データベースは、例えば、ＵＮＣ／ＧＡＮＣが、ユーザのロケーションを常に把握している「ＵＭＡ／ＧＡＮデータベース」であることも可能である。
【００４９】
「デュアルモード電話機／サブスクリプション」の「固定サービス」電話番号に向かうコールは、移動事業者のネットワークに向けられなければならず、このため、ルーティングにより、コールが、そのサービスを提供する移動事業者に向けてルーティングされるようになるアドレス指定範囲に属さなければならない。
【００５０】
本発明の別の態様によれば、「デュアルモード電話機／サブスクリプション」に加入しているユーザが、ユーザの固定電話番号を変更しなければならないことを回避するため、そのようなユーザが、ユーザの現在の固定電話番号を保持するが、その電話番号が、「デュアルモード電話機／サブスクリプション」の「固定サービス」番号上に「移された」（番号ポータビリティファンクションを介して）と見なされることが提案される。そのような番号ポータビリティファンクションは、従来どおりであることが可能であり、したがって、本説明でより完全に開示される必要はない。
【００５１】
「固定サービス」電話番号と「移動サービス」電話番号はともに、有利には、ＨＬＲ−ＨＳＳ、つまり、加入者データベースの中のユーザ関連データに関連付けられる。これにより、「固定サービス」電話番号を目標とするコールに関して、サービスコントロール（例えば、ＣＡＭＥＬ  Ｔ−ＣＳＩ）をトリガすることが可能であることが確実になる。
【００５２】
移動ネットワークが、「デュアルモード電話機の固定サービス」を目標とするコールを受け取ると、着呼側が、着呼側の「ホームロケーション」の範囲内にいるかどうかを知るのにロケーション要求を発するのを回避するため、以下のアルゴリズムのようなアルゴリズムが、考慮されることが可能である。すなわち、
−ユーザが、ＵＭＡ／ＧＡＮネットワークにおけるＵＮＣもしくはレジスタに接続すると、ＵＮＣ／ＧＡＮＣが、ユーザについての「現在のＵＭＡ／ＧＡＮロケーション情報」（現在のアクセスポイント識別子、例えば、ＭＡＣアドレス＋現在のＩＰアドレス＋関連するＧＳＭサービスエリアの現在のＣＧＩ（セルグローバル識別子）を含む）で「ＵＭＡ／ＧＡＮデータベース」を更新する。
−ユーザが、ＵＭＣ／ＧＡＮＣから切断する、またはＵＭＡ／ＧＡＮネットワークから登録解除する（または、例えば、ＵＮＣキープアライブタイマの終了の後、切断される、または登録解除される）と、ＵＮＣ／ＧＡＮＣが、以下のとおり、「ＵＭＡ／ＧＡＮデータベース」の中のユーザについてのロケーション情報を更新する。すなわち、
・ユーザについての「現在のＵＭＡ／ＧＡＮロケーション情報」が、「ＵＭＡ／ＧＡＮサービスエリアを離れた時刻」（すなわち、現在の日付−時刻）と一緒に、「古いＵＭＡ／ＧＡＮロケーション情報」にコピーされる、
・「現在のＵＭＡ／ＧＡＮロケーション情報」が消去される。
【００５３】
「デュアルモード電話機／サブスクリプション」の「固定サービス」電話番号を目標とする着信コールを扱うためのアルゴリズムの例が、図２に示されており、図２を以下に説明する。
【００５４】
「デュアルモード電話機／サブスクリプション」の「固定サービス」電話番号を目標とする着信コールを扱う際、目標ユーザが、「ホーム」にいるか否かが判定される。
【００５５】
例えば、目標ユーザが、「ホーム」にいるか否かを判定するために、コール／セッションの終了を扱うサービス環境が、着呼側ユーザに関するＵＭＡ／ＧＡＮデータベースレコードをルックアップする。コール／セッションの終了を扱うサービス環境の例には、以下が含まれる。すなわち、コールが、ＣＳドメインを介して確立された場合に、ＧＭＳＣ（ゲートウェイ移動交換局）によって呼び出されるＣＡＭＥＬサービス制御ポイント、コールが、ＩＭＳを介して確立された場合に、終了するサービスの一環としてＳ−ＣＳＦＣ（サービングコールセッション制御ファンクション）によって呼び出されるＩＭＳアプリケーションサーバである。
【００５６】
ユーザが、「ホーム」にいるか否かに依存して、コールは、異なる形で扱われる。これは、例えば、以下の形で実施されることが可能である。
【００５７】
ステップ１０で、「現在のＵＭＡ／ＧＡＮロケーション情報」が、ユーザの「ホーム低料金エリア」において宣言されているアクセスポイント識別子を含むかどうかが確認される。
【００５８】
ステップ１０における答えが、「はい」である場合、ステップ１１に示されるとおり、コールは、ユーザの「移動サービス」番号に転送され、通常の移動手続きに従ってルーティングされる。
【００５９】
ステップ１０における答えが、「いいえ」である場合、ステップ１２で、「現在のＵＭＡ／ＧＡＮロケーション情報」が、ユーザの「ホーム低料金エリア」において宣言されていないアクセスポイント識別子を含むかどうかが確認される。
【００６０】
ステップ１２における答えが、「はい」である場合、ステップ１４に示されるとおり、コールが、拒否されるか、または代わりのサービス（例えば、着呼側のボイスメールに転送される、コール転送サービスなどの）が、提供される。
【００６１】
ステップ１２における答えが、「いいえ」である場合、ステップ１３で、「古いＵＭＡ／ＧＡＮロケーション情報」が、ユーザの「ホーム低料金エリア」におけるアクセスポイント識別子を含むかどうかが確認され、「ＵＭＡ／ＧＡＮサービスエリアを離れた時刻」以来、経過した時間が、事業者によって設定された閾値（例えば、１／４時間）未満であるかどうかが確認される。
【００６２】
ステップ１３における答えが、「はい」である場合、ユーザの「固定サービス」番号を目標とする着信コールは、ステップ１１に示されるとおり、ユーザの「移動サービス」番号に転送され、通常の移動手続きに従ってルーティングされる。
【００６３】
ステップ１３における答えが、「いいえ」である場合、ステップ１５で、「ホームゾーン」として、ユーザの自宅の周囲の移動電話（例えば、ＧＳＭ）セル群を事業者が認めるかどうか、「古いＵＭＡ／ＧＡＮロケーション情報」が空でないかどうか、および「古いＵＭＡ／ＧＡＮロケーション情報」が、ユーザの「ホーム低料金エリア」におけるアクセスポイント識別子を含むかどうかが確認される。
【００６４】
ステップ１５における答えが、「いいえ」である場合、ステップ１４に示されるとおり、「固定サービス」番号を目標とする着信コールが、拒否されるか、または代わりのサービス（例えば、着呼側のボイスメールに転送される、コール転送サービスなどの）が、提供される。
【００６５】
ステップ１５における答えが、「はい」である場合、ステップ１６で、サービス環境が、ユーザのロケーション情報を獲得するロケーション要求を発する。
【００６６】
次に、ステップ１７で、ユーザが、ユーザの「ホーム」移動エリアに相当すると事業者によって宣言されている（例えば、ＧＳＭ）セルに位置付けられているかどうかが確認される。
【００６７】
ステップ１７における答えが、「はい」である場合、コールは、「デュアルモード電話機」サブスクリプションの「移動サービス」番号にリダイレクトされる。次に、コールは、通常の移動手続きに従って扱われる。
【００６８】
ステップ１７における答えが、「いいえ」である場合、ステップ１４に示されるとおり、コールが、拒否されるか、または代わりのサービス（例えば、着呼側のボイスメールに転送される、コール転送サービスなどの）が、提供され、「古いＵＭＡ／ＧＡＮロケーション情報」が、クリアされる。
【００６９】
以上のアルゴリズムは、このようにして、ロケーション要求の数を最適化する。というのは、ロケーション要求は、ユーザが、「ホーム低料金エリア」におけるアクセスポイント識別子にもはや（閾値（例えば、１／４時間）を超える時間にわたって）位置しておらず、前のロケーション要求を介して、そのような「ホーム低料金エリア」から遠く離れているとは検出されていない場合にだけ、発せられるからである。
【００７０】
「デュアルモード電話機／サブスクリプション」の「移動サービス」電話番号を目標とする着信コールを扱うことは、比較的より簡単であり、さらに完全に開示される必要はない。というのは、そのようなコールは、通常の移動手続きに従ってルーティングされるからである。
【００７１】
また、本発明は、本発明による方法を実行するための手段を含むコアネットワークエンティティも目的とする。
【００７２】
前述した手段の詳細な実施は、当業者に特別な問題は全く生じさせず、したがって、そのような手段は、当業者に対して、そのような手段の機能によって以上に行ったよりも完全に開示される必要はない。
【図面の簡単な説明】
【００７３】
【図１】認可された移動アクセスと無認可の移動アクセスとを含む移動通信システムのアーキテクチャの実施例を想起することを目的とする図である。
【図２】「固定サービス」電話番号を目標とする着信コールもしくは着信セッションのルーティングのための、本発明による方法の実施例を示すことを目的とする図である。
【符号の説明】
【００７４】
ＡＰ  アクセスポイント
ＢＳＣ  基地局コントローラ
ＢＳＳ  基地局サブシステム
ＢＴＳ  基地局トランシーバ
ＣＮ  コアネットワーク
ＣＳＣＦ  コールセッション制御ファンクション
ＧＡＮＣ  汎用アクセスコントローラ
ＧＳＮ  ＧＰＲＳサポートノード
ＨＬＲ／ＨＳＳ  ホームロケーションレジスタおよび／またはホーム加入者サーバ
ＩＭＳ  ＩＰマルチメディアサブシステム
ＭＳＣ  移動交換局
ＲＡＮ  無線アクセスネットワーク
ＲＮＣ  無線ネットワークコントローラ
ＲＮＳ  無線ネットワークサブシステム
ＳＣＰ／ＡＳ  サービス制御ポイント／アプリケーションサーバ
ＵＮＣ  ＵＭＡネットワークコントローラ
【図１】
2007184915.tif 000003
【図２】
2007184915.tif 000004
【外国語明細書】
2007184915.tif 000005
2007184915.tif 000006
2007184915.tif 000007
2007184915.tif 000008
2007184915.tif 000009
2007184915.tif 000010
2007184915.tif 000011
2007184915.tif 000012
2007184915.tif 000013
2007184915.tif 000014
2007184915.tif 000015
2007184915.tif 000016
2007184915.tif 000017
2007184915.tif 000018
2007184915.tif 000019
2007184915.tif 000020
2007184915.tif 000021
2007184915.tif 000022
2007184915.tif 000023
2007184915.tif 000024
2007184915.tif 000025
2007184915.tif 000026
2007184915.tif 000027
2007184915.tif 000028